(57)【要約】【課題】既に使用中の様々なタイプの三角コーナーを保持・固定して移動や転倒を防止でき、且つ油分や汚れの付着、経年変化などによる固定強度の低下が少ない三角コーナー用保持具を提供する。【解決手段】三角コーナー用保持具１は、板状の固定部２ａと、この固定部の一辺から突出し、上記固定部に向かって折曲され、三角コーナーの上端を挟んで保持する爪部２ｂとを有するフック部材２と、上記固定部２ａに接着され、シンクの内側壁に磁力で吸着して固定される磁石部材４とを具備する。既に使用中の様々なタイプの三角コーナーを保持・固定して移動や転倒を防止できるので、三角コーナーを買い換える必要がない。また、磁石部材でシンクの内側壁に固定するので、油分や汚れが付着したり、長期間使用したりしても吸着力の劣化が少なく、三角コーナーを確実に固定できる。【選択図】図１
0003179399.tif 000002
【実用新案登録請求の範囲】
【請求項１】
板状の固定部と、この固定部の一辺から突出し、前記固定部に向かって折曲され、三角コーナーの上端を挟んで保持する爪部とを有するフック部材と、前記フック部材の固定部に接着され、シンクの内側壁に磁力で吸着して固定される磁石部材とを具備することを特徴とする三角コーナー用保持具。
【請求項２】
前記爪部は折曲自在であり、使用する三角コーナーの上端部の形状に合わせて折曲されることを特徴とする請求項１に記載の三角コーナー用保持具。
【請求項３】
前記磁石部材におけるシンクの内側壁への吸着面は、シンクのコーナー部の内側壁に対応する所定の曲率を持った緩やかな曲面であることを特徴とする請求項１または２に記載の三角コーナー用保持具。
【考案の詳細な説明】
【技術分野】
【０００１】
本考案は、台所のシンク内に置いて生ゴミなどの一時仮置きをする、いわゆる三角コーナーの転倒や移動を防止するための三角コーナー用保持具に関するものである。
【背景技術】
【０００２】
一般に、多くの家庭で台所のシンクの中に三角コーナーを置いて、生ゴミなどの一時仮置きをしている。
【０００３】
この三角コーナーは、炊事中に調理や食器洗いなどで接触が起こり、定位置から動いてしまうことが頻繁にある。更には、三角コーナーが傾いたり転倒したりして中身がシンク内に出てしまうこともある。
【０００４】
そこで、これらの欠点を解消するために種々の提案がなされており、例えば特許文献１には、三角コーナーを流しの角部に確実に保持し、三角コーナーが流れたり、倒れたりしないようにするストッパーを備えた流し用屑入れが開示されている。
【０００５】
このストッパーは、通水性を有する容器本体の短側面部の外側に着脱自在に取り付けられ、棒状の引っ掛け具の両端に吸盤が取り付けられた構造になっている。
【０００６】
また、特許文献２に記載されている三角コーナーは、Ｕ形状の複数本の線材を所定間隔置きに交叉状に配置して接着し、これらに上方枠部と補強枠部を接着し、吸着体のつまみ部を嵌挿する引掛け部を接着している。そして、引掛け部に吸着体のつまみ部を装着してシンクの内側壁に吸着固定するようになっている。
【０００７】
上記特許文献１、２の技術によれば、三角コーナーをシンクの内側壁に吸盤で固定でき、移動したり転倒したりするのを防止できる。
【先行技術文献】
【特許文献】
【０００８】
【特許文献１】実用新案登録第３００２２３１号
【特許文献２】実開平１−８８６０１号公報
【考案の概要】
【考案が解決しようとする課題】
【０００９】
しかしながら、上述した特許文献１に記載されているストッパーは使用できる三角コーナーが限られ、特許文献２の三角コーナーは保持具と一体化しているため、三角コーナーごと買い換えなければならずコスト高になる。また、保持・固定に吸盤を用いているため、吸盤の吸着面に油分や汚れが付着したり、長期間の使用によって吸盤が劣化したりすると、必ずしも十分な強度で固定できない。
【００１０】
本考案は、上記のような事情に鑑みてなされたもので、その目的とするところは、既に使用中の様々なタイプの三角コーナーを保持・固定して移動や転倒を防止でき、且つ油分や汚れの付着、経年変化などによる固定強度の低下が少ない三角コーナー用保持具を提供することにある。
【課題を解決するための手段】
【００１１】
本考案に係る三角コーナー用保持具においては、板状の固定部と、この固定部の一辺から突出し、前記固定部に向かって折曲され、三角コーナーの上端を挟んで保持する爪部とを有するフック部材と、前記フック部材の固定部に接着され、シンクの内側壁に磁力で吸着して固定される磁石部材とを具備することで、上述した課題を解決した。
【００１２】
また、前記爪部は折曲自在であり、使用する三角コーナーの上端部の形状に合わせて折曲されることで、同じく上述した課題を解決した。
【００１３】
さらに、前記磁石部材におけるシンクの内側壁への吸着面は、シンクのコーナー部の内側壁に対応する所定の曲率を持った緩やかな曲面であることで、同じく上述した課題を解決した。
【考案の効果】
【００１４】
本考案に係る三角コーナー用保持具によれば、既に使用中の様々なタイプの三角コーナーを保持・固定して移動や転倒を防止できるので、三角コーナーを買い換える必要がない。
【００１５】
また、磁石部材でシンクの内側壁に吸着させて固定するので、油分や汚れが付着したり、長期間使用したりしても吸着力の劣化が少なく、三角コーナーを確実に固定できる。
【００１６】
更に、爪部を三角コーナーの保持する部分に合わせて曲げることで、種々の形状やサイズの三角コーナーに対応することができる。
【００１７】
更にまた、磁石部材の吸着面を、シンクのコーナー部の内側壁に対応する所定の曲率を持った緩やかな曲面にすることで、シンクへの磁力による吸着を効果的にして確実に固定できる。
【図面の簡単な説明】
【００１８】
【図１】本考案の実施形態に係る三角コーナー用保持具の正面図、側面図及び平面図である。
【図２】図１に示した三角コーナー用保持具の分解図及び斜視図である。
【図３】本考案の実施形態に係る三角コーナー用保持具の使用例について説明するためのもので、保持具を三角コーナーへ装着する手順を示す斜視図である。
【図４】本考案の実施形態に係る三角コーナー用保持具の使用例について説明するためのもので、保持具を装着した三角コーナーをシンクに装着する手順を示す斜視図である。
【図５】本考案の実施形態に係る三角コーナー用保持具の使用例について説明するためのもので、保持具を装着した三角コーナーをシンクに装着した状態を示す斜視図である。
【考案を実施するための形態】
【００１９】
以下に、本考案を実施するための形態を、図面を参照して説明する。
【００２０】
図１及び図２はそれぞれ、本考案の実施形態に係る三角コーナー用保持具を示している。図１（ａ）は正面図、図１（ｂ）は側面図、及び図１（ｃ）は平面図である。また、図２（ａ）は分解図、及び図２（ｂ）は斜視図である。この保持具１は、フック部材２とこのフック部材２に接着剤３などで接着された磁石部材４とで構成されている。
【００２１】
図１に示すように、上記フック部材２は、四角形の板状の固定部２ａと、この固定部２ａの一辺から突出し、上記固定部２ａに向かって折曲された爪部２ｂとを有する。この爪部２ｂは、三角コーナーの上端を挟んで保持するものである。
【００２２】
上記フック部材２は、例えばステンレスなどで形成され、少し強めの力で曲げることができる程度の厚さになっている。これによって、フック部材２の爪部２ｂは折曲自在であり、爪部２ｂを三角コーナーの保持する部分に合わせて曲げることで、種々の形状やサイズの三角コーナーに対応できるようになっている。
【００２３】
上記磁石部材４は、フック部材２への接着面が平面であり、対向面（吸着面）がシンクのコーナー部の内側壁に対応する所定の曲率を持った緩やかな曲面になっている。このため、シンクへの磁力による吸着を効果的にして確実に固定できる。本例では高さをＨ、幅をＷ、厚さをＤとすると、Ｈ３０×Ｗ２５×Ｄ５〜７（ｍｍ）のサイズであり、磁力が強力なものが好ましい。
【００２４】
図２に示すように、上記接着剤３は、上記フック部材２の固定部２ａと磁石部材４の平面（接着面）とを接着するものであり、接着力が強力で接着後は水や油の付着により容易に剥がれないものが好ましい。この接着剤３には、例えばアクリル樹脂系接着剤、ウレタン樹脂系接着剤、及びエポキシ樹脂系接着剤など様々なものを用いることができる。
【００２５】
図３乃至図５はそれぞれ、上記図１及び図２に示した三角コーナー用保持具１の使用例について説明するための斜視図である。まず、図３に矢印で示すように、保持具１の爪部２ｂを三角コーナー５の上から直角部５ａの上端に押し込んで引っ掛ける。なお、ここで、７は水切りネットであり、三角コーナー５に水切りネット７を被せた状態で固定している。
【００２６】
続いて、図４に示すように、三角コーナー５を、磁気吸着可能なステンレスや鉄を主成分とする金属などの材料からなるシンク６のコーナー部に移動させ、三角コーナー５の直角部５ａをシンク６のコーナー部の内側壁６ｃに合わせ、保持具１の磁石部材４をシンク６の内側壁６ｃに吸着して保持・固定すると、図５に示すような状態となる。
【００２７】
このような構成によれば、低コストにできる単純な構成でありながら、既に使用中の様々なタイプの三角コーナー５を保持・固定して移動や転倒を防止できるので、三角コーナー５を買い換える必要がない。しかも、ユーザが爪部２ｂを三角コーナー５の保持する部分に合わせて曲げることで、種々の形状やサイズの三角コーナー５に適合させることができる。
【００２８】
また、磁石でシンク６のコーナー部の内側壁６ｃに固定するので、油分や汚れが付着したり、長期間使用したりしても吸着力の劣化が少なく、三角コーナー５を確実に保持・固定できる。
【００２９】
しかも、シンク６のコーナー部の内側壁６ｃに、一つの保持具１で三角コーナー５を保持・固定することで、シンク６の上記コーナー部に接する隣接した二つの内側壁６ａ、６ｂで三角コーナー５の二辺を固定でき、ずれるのを効果的に防止できる。
【００３０】
なお、本考案は上述した実施形態に限定されるものではなく、種々の変形が可能である。例えば、上記実施形態ではフック部材２をステンレスで形成する場合を例に取って説明したが、他の金属、あるいは樹脂やゴムなどで形成しても良いのはもちろんである。
【００３１】
また、フック部材２と磁石部材４を接着剤３で貼り付ける場合を説明したが、フック部材２の固定部２ａに磁石部材４を接着できれば、他の様々な手段で固着しても良い。これらフック部材２と磁石部材４のサイズは、必要とする吸着強度や三角コーナー５の大きさなどに応じて設定すれば良く、上述した例に限られるものではない。
【００３２】
更に、フック部材２の爪部２ｂが一つの場合を示したが複数を並列的に配置しても良く、固定部２ａが四角形の場合を示したが他の平面形状であっても良い。
【符号の説明】
【００３３】
１    保持具
２    フック部材
２ａ    固定部
２ｂ    爪部
３    接着剤
４    磁石部材
５    三角コーナー
５ａ    直角部
６    シンク
６ａ、６ｂ、６ｃ    内側壁
７    水切りネット
【図１】
0003179399.tif 000003
【図２】
0003179399.tif 000004
【図３】
0003179399.tif 000005
【図４】
0003179399.tif 000006
【図５】
0003179399.tif 000007